(57)【特許請求の範囲】
【請求項１】
下方に向けて縮径する環状のテーパ部と、前記テーパ部から下方に向かって延び、前記テーパ部と同心円状に形成された筒状の垂下部と、前記垂下部の下端から径方向内側に向けて膨出する鍔部とを備えた槽体の排水口に取付けられるとともに、所定の配管に接続される排水栓装置であって、
前記排水口に設けられ、前記排水口の閉時において外周縁が前記テーパ部と接触する栓蓋と、
前記栓蓋を支持し、前記槽体に対して上下動可能な支持軸と、
前記支持軸が挿通される筒状の筒状部、及び、外周縁が前記筒状部と同心円状に形成された環状のリング部を有するとともに、前記筒状部及び前記リング部の間にネット部を具備するヘアキャッチャーと、
自身の一端部に径方向外側に膨出する張出部を有し、前記鍔部に対して前記張出部が載置された状態で前記排水口に取付けられるとともに、自身の他端部が前記配管に対して直接又は間接的に接続される筒状の排水口部材とを備え、
前記ヘアキャッチャーのリング部は、その外周縁全周が前記垂下部に対してほぼ接触するとともに、前記排水口部材の張出部の上面に接触した状態で配設されることを特徴とする排水栓装置。
【請求項２】
前記支持軸は、前記筒状部に対して挿脱可能に構成されることを特徴とする請求項１に記載の排水栓装置。
【請求項３】
前記支持軸のうち少なくとも前記筒状部に挿通される部位の外周面、及び、前記筒状部のうち少なくとも前記支持軸が挿通される部位の内周面の一方は、長手方向と直交する断面において、円形状に形成され、
前記支持軸のうち少なくとも前記筒状部に挿通される部位の外周面、及び、前記筒状部のうち少なくとも前記支持軸が挿通される部位の内周面の他方は、長手方向と直交する断面において、多角形状に形成されることを特徴とする請求項２に記載の排水栓装置。
【請求項４】
前記排水口部材は、自身の外周面にねじ部を備えるとともに、当該ねじ部に所定のナットが螺合され、当該ナットと前記張出部との間で前記鍔部を挟み込むことで前記排水口に取付けられており、
前記張出部の外周と前記垂下部との間に、環状のパッキンが圧入されていることを特徴とする請求項１乃至３のいずれか１項に記載の排水栓装置。
【発明の詳細な説明】
【技術分野】
【０００１】
本発明は、槽体の排水口に設けられる排水栓装置に関する。
【背景技術】
【０００２】
従来、槽体（例えば、浴槽やユニットバスの洗い場など）の排水栓装置としては、鍔状のフランジを有する排水口金具を槽体の排水口に設けるものが知られている（例えば、特許文献１等参照）。しかし、このような排水栓装置においては、前記フランジが槽体の排水口縁に設置された状態となってしまうため、槽体とフランジとの間に汚れが付着してしまいやすく、また、槽体に水を溜める際において、槽体とフランジとの間に付着した汚れが溜められた水と触れてしまう可能性がある。さらに、フランジが槽体の表面に顕出してしまうため、外観品質の低下を招いてしまう。
【０００３】
そこで近年では、排水口金具を設けることなく、排水栓装置を構成する技術が提案されている。このような技術としては、例えば、栓蓋を上下動可能に支持する支持軸を排水口に設けるために、支持軸を保持する支持部材が必要となるところ、従来排水口金具に固定されていた前記支持部材を、槽体に対して直接固定することで、排水口金具を設けないものとした技術が知られている（例えば、特許文献２等参照）。
【０００４】
また、髪の毛やゴミ等を捕集するためのヘアキャッチャーの外周縁を排水口に対して接触させるとともに、ヘアキャッチャーの中心に位置する筒状部分に支持軸を挿通することで、ヘアキャッチャーにより支持軸を保持する手法が提案されている（例えば、特許文献３等参照）。当該手法を用いることで、支持部材とヘアキャッチャーとを別々に設けることに伴う製造コストの増大を抑制することができる。
【先行技術文献】
【特許文献】
【０００５】
【特許文献１】特許第３６３３３３６号公報
【特許文献２】特開２０１０−１６７８号公報
【特許文献３】特開２０１０−３７９２３号公報
【発明の概要】
【発明が解決しようとする課題】
【０００６】
しかしながら、上記特許文献３の技術においては、排水口に対するヘアキャッチャー外周縁の接触位置が上下方向に沿ってずれてしまうことがあり得る。そのため、ヘアキャッチャーの筒状部材ひいては支持軸が排水口の中心軸に対して傾いてしまうおそれがあり、槽体（排水口）に対する栓蓋のシール性が損なわれてしまうことが懸念される。
【０００７】
本発明は、上記事情を鑑みてなされたものであり、その目的は、ヘアキャッチャーにより支持軸を保持しながら、排水口の中心軸に対するヘアキャッチャーの傾きを抑制することができ、槽体と栓蓋との間をより確実にシールすることができる排水栓装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．下方に向けて縮径する環状のテーパ部と、前記テーパ部から下方に向かって延び、前記テーパ部と同心円状に形成された筒状の垂下部と、前記垂下部の下端から径方向内側に向けて膨出する鍔部とを備えた槽体の排水口に取付けられるとともに、所定の配管に接続される排水栓装置であって、
前記排水口に設けられ、前記排水口の閉時において外周縁が前記テーパ部と接触する栓蓋と、
前記栓蓋を支持し、前記槽体に対して上下動可能な支持軸と、
前記支持軸が挿通される筒状の筒状部、及び、外周縁が前記筒状部と同心円状に形成された環状のリング部を有するとともに、前記筒状部及び前記リング部の間にネット部を具備するヘアキャッチャーと、
自身の一端部に径方向外側に膨出する張出部を有し、前記鍔部に対して前記張出部が載置された状態で前記排水口に取付けられるとともに、自身の他端部が前記配管に対して直接又は間接的に接続される筒状の排水口部材とを備え、
前記ヘアキャッチャーのリング部は、その外周縁全周が前記垂下部に対してほぼ接触するとともに、前記排水口部材の張出部の上面に接触した状態で配設されることを特徴とする排水栓装置。
【００１０】
尚、「ほぼ接触」とあるのは、リング部の外周縁が垂下部に対して全周に亘って接触している場合のみならず、リング部の外周縁の一部と垂下部との間に若干の隙間が形成され、リング部の外周縁の一部が垂下部に対して接触可能とされている場合も含む。
【００１１】
上記手段１によれば、栓蓋の下方側に排水口部材が設けられることとなり、栓蓋の閉時には、槽体の表面側に排水口部材が顕出せず、また、栓蓋の開時であっても、槽体の表面側から排水口部材が視認しにくくなる。従って、外観品質を向上させることができる。
【００１２】
また、栓蓋の閉時には、槽体の表面側に排水口部材が顕出しないため、仮に槽体と排水口部材との間に汚れが付着したとしても、水を溜める際に、当該汚れが溜められた水と触れてしまうことがない。その結果、衛生面の向上を図ることができる。
【００１３】
さらに、上記手段１によれば、ヘアキャッチャーのリング部は、その外周縁全周が排水口のうち下方に沿って延びる垂下部に対してほぼ接触している。そのため、リング部と同心円状に形成された筒状部の中心軸と垂下部の中心軸とを一致させることができ、ひいては筒状部に挿通される支持軸の中心軸と垂下部に対して同心円状に形成されたテーパ部の中心軸とを一致させることができる。
【００１４】
また、リング部は、排水口部材の張出部の上面に接触した状態で配設されているため、排水口に対してリング部の接触位置が上下方向にずれてしまうことをより確実に抑制することができる。これにより、支持軸の中心軸がテーパ部の中心軸に対して傾いてしまうといった事態を効果的に防止することができる。
【００１５】
以上のように、上記手段１によれば、支持軸の中心軸とテーパ部の中心軸とを一致させつつ、支持軸の中心軸とテーパ部の中心軸との軸ずれをより確実に防止することができる。その結果、ヘアキャッチャーにより支持軸を保持し、別途の支持部材を必要としないことによる製造コストの低減を図りつつ、排水口の閉時において、槽体と栓蓋との間をより確実にシールすることができる。
【００１６】
手段２．前記支持軸は、前記筒状部に対して挿脱可能に構成されることを特徴とする手段１に記載の排水栓装置。
【００１７】
上記手段２によれば、筒状部に対して支持軸が挿脱可能に構成されているため、ヘアキャッチャーと栓蓋とを分離することができる。従って、ヘアキャッチャーを排水口に配置したままの状態で栓蓋を取外すことができ、ひいてはヘアキャッチャーを排水口に配置したまま、その上面を清掃するといったことが可能となる。
【００１８】
手段３．前記支持軸のうち少なくとも前記筒状部に挿通される部位の外周面、及び、前記筒状部のうち少なくとも前記支持軸が挿通される部位の内周面の一方は、長手方向と直交する断面において、円形状に形成され、
前記支持軸のうち少なくとも前記筒状部に挿通される部位の外周面、及び、前記筒状部のうち少なくとも前記支持軸が挿通される部位の内周面の他方は、長手方向と直交する断面において、多角形状に形成されることを特徴とする手段２に記載の排水栓装置。
【００１９】
支持軸の外周面と筒状部の内周面とが面接触してしまうと、水の表面張力により筒状部に対する支持軸の相対移動が困難となってしまい、排水口を閉じるときに、支持軸ひいては栓蓋が下動しなくなってしまったり、排水口を開けるときに、支持軸とともにヘアキャッチャーが上動してしまったりするおそれがある。
【００２０】
この点を鑑みて、上記手段３によれば、支持軸の外周面及び筒状部の内周面の一方が、断面円形状に形成されるとともに、支持軸の外周面及び筒状部の内周面の他方が、断面多角形状に形成されており、支持軸の外周面と筒状部の内周面との間に隙間が形成されるように構成されている。このため、支持軸の外周面と筒状部の内周面とが面接触してしまうことを抑制することができ、支持軸及び筒状部の間に水が浸入した場合であっても、筒状部に対して支持軸が容易に相対移動可能となる。その結果、上述した不具合の発生をより確実に防止することができる。
【００２１】
尚、支持軸の外周面と筒状部の内周面との面接触を防止するために、例えば、筒状部の内周面に径方向内側に膨出する複数のリブを設ける手法が考えられる。ところが、この場合には、リブ同士の間に汚れが付着してしまいやすく、また、その汚れの除去が極めて難しい。
【００２２】
この点、上記手段３によれば、支持軸の外周面及び筒状部の内周面の双方ともに表面が平坦状に形成されることとなる。そのため、支持軸の外周面や筒状部の内周面に対して汚れが付着しにくくなり、また、仮に汚れが付着したとしてもその汚れを比較的容易に除去することができる。
【００２３】
手段４．前記排水口部材は、自身の外周面にねじ部を備えるとともに、当該ねじ部に所定のナットが螺合され、当該ナットと前記張出部との間で前記鍔部を挟み込むことで前記排水口に取付けられており、
前記張出部の外周と前記垂下部との間に、環状のパッキンが圧入されていることを特徴とする手段１乃至３のいずれかに記載の排水栓装置。
【００２４】
尚、「パッキン」としては、ゴム等の弾性素材により形成されたＯリングやＸリング等を挙げることができる。
【００２５】
排水口部材と槽体と間のシール性を向上させるべく、両者の間に環状のパッキンを設けることが考えられる。ここで、パッキンは、例えば、上記特許文献３に記載の技術のように、槽体の背面と排水口部材の上面との間に設けられるのが一般的である。しかしながら、この場合には、例えば、排水口部材を槽体に取付けるための取付ねじの緩み等により、槽体に対する排水口部材の押付け力が弱まってしまうと、槽体や排水口部材に対するパッキンの圧接力が低下してしまう。その結果、排水口部材と槽体との間のシール性が不十分となってしまうおそれがある。
【００２６】
この点、上記手段４によれば、排水口部材の張出部と垂下部との間に環状のパッキンが圧入されている。従って、排水口部材を排水口に取付けるためのナットに多少の緩みが生じた場合であっても、垂下部や張出部（排水口部材）に対するパッキンの圧接力が低下してしまうことがない。その結果、排水口部材と槽体との間で優れたシール性を実現できるとともに、その優れたシール性を長期間に亘って維持することができる。
【図面の簡単な説明】
【００２７】
【図１】排水栓装置の構成を示す断面図である。
【図２】操作部の構成を示す部分拡大断面図である。
【図３】排水口装置の構成を示す部分拡大断面図である。
【図４】栓蓋を取外した状態における排水栓装置を示す部分拡大断面図である。
【図５】図３のＪ−Ｊ線断面図である。
【発明を実施するための形態】
【００２８】
以下に、一実施形態について図面を参照して説明する。図１に示すように、排水栓装置１は、槽体としての洗面器１００に取り付けられており、操作部２と、伝達部材３と、排水口装置４とを備えている。
【００２９】
操作部２は、洗面器１００の側壁部１０１の上端から外側に向かって延びるフランジ部１０２に取り付けられており、図２に示すように、ガイド部２１と、可動部材２２とを備えている。
【００３０】
前記ガイド部２１は、筒状をなし、その一端部がフランジ部１０２に形成された孔部１０３から洗面器１００の内部に挿入されるとともに、その他端部が前記フランジ部１０２の外表面から突出している。また、ガイド部２１の一端部外周面には雄ねじ部２３が形成されており、ガイド部２１の他端部との間で前記フランジ部１０２を挟み込むようにして所定のナット２４が前記雄ねじ部２３に締結されることにより、ガイド部２１がフランジ部１０２に固定されている。また、ガイド部２１の他端部の外周面には、周方向に沿って延びる複数の環状溝部２５が設けられるとともに、環状溝部２５よりも一端側（下側）には、外側に膨出する鍔状部２６が設けられている。加えて、鍔状部２６の下方側の面とフランジ部１０２との間には、環状のシール部材２７が設けられている。当該シール部材２７により、ガイド部２１とフランジ部１０２との間がシールされている。
【００３１】
前記可動部材２２は、筒状の外周壁部２８を備えるとともに、当該外周壁部２８の内周にガイド部２１の他端部が挿入された状態で、前記ガイド部２１ひいては洗面器１００に対して自身の中心軸を回転軸として相対回転可能に構成されている。また、ガイド部２１の他端面２１Ｆは前記可動部材２２に対して周方向に沿って面接触しており、その結果、ガイド部２１と可動部材２２との間がシールされている。加えて、ガイド部２１に設けられた前記環状溝部２５により、ガイド部２１の外周面と可動部材２２の内周面との間には、周方向に沿って延びる環状の空間部２９が形成されている。当該空間部２９により、ガイド部２１と可動部材２２との間を伝わった水の浸入を抑制することができ、また、ガイド部２１の他端面２１Ｆと可動部材２２とを周方向に沿って面接触させることで、水の浸入抑制効果を一層高めることができるようになっている。
【００３２】
図１に戻り、前記伝達部材３は、樹脂材料により形成されるとともに、操作部２と排水口装置４との間に設けられ、可動部材２２の回転変位を排水口装置４側へと伝達すべく、自身の中心軸を回転軸として回転可能に構成されている。伝達部材３は、操作部２から排水口装置４側に向かって、それぞれ棒状をなす第１伝達棒３１と、第２伝達棒３２と、第３伝達棒３３とが直列的に接続されて構成されている。
【００３３】
前記第１伝達棒３１は、一端部が前記第２伝達棒３２に連結される一方で、その他端部が前記ガイド部２１に挿通されており、また、その他端部に爪状の係止部３１Ａを備えている。そして、可動部材２２の一端部に設けられた突起状の被係止部２２Ａに対して第１伝達棒３１の前記係止部３１Ａが係止されることで、可動部材２２と伝達部材３との間がスナップフィット結合されており、可動部材２２の回転変位が伝達部材３（第１棒状部３１）に伝達されるようになっている。
【００３４】
前記第２伝達棒３２は、メススプライン軸３４にオススプライン軸３５が挿通されてなるスライド機構３６を備えている。当該スライド機構３６により、第２伝達棒３２ひいては伝達部材３が伸縮可能とされており、排水栓装置１を様々な槽体に対して組付けることができるようになっている。
【００３５】
加えて、前記第３伝達棒３３は、その一端部が排水用の配管１１１に連通された筒状の取付管１１２に対して挿通されている。また、第３伝達棒３３は、前記取付管１１２の端部に設けられた爪部１１３によって軸方向に沿った移動が規制されている一方で、自身の中心軸を回転軸として回転可能に構成されている。尚、第３伝達棒３３の中心軸は、後述する支持軸４２の中心軸（鉛直方向）と交差する方向に延びている。
【００３６】
さらに、前記第１伝達棒３１と第２伝達棒３２との間、及び、第２伝達棒３２と第３伝達棒３３との間は、それぞれユニバーサルジョイント３７，３８を介して連結されている。従って、第１、第２伝達棒３１，３２間の連結角度、及び、第２、第３伝達棒３２，３３間の連結角度を自在に変更することができ、ひいては可動部材２２から伝達部材３の一端部（第３伝達棒３３）に対する回転の伝達方向を変換できるようになっている。
【００３７】
また、伝達部材３（第３伝達棒３３）の一端面外周には、第３伝達棒３３の中心軸方向に沿って延びる支持突起３９が設けられている。そして、前記可動部材２２を回転させることにより、第１伝達棒３１、第２伝達棒３２、第３伝達棒３３の順に回転が伝達されていき、第３伝達棒３３の中心軸を回転軸として支持突起３９が回転することで、支持突起３９が上下動するようになっている。
【００３８】
次に、排水口装置４について説明する。前記排水口装置４は、図３に示すように、洗面器１００の排水口１０４等に設けられており、通水部材４１と、支持軸４２と、ヘアキャッチャー４３と、排水口部材４４と、栓蓋４５とを備えている。
【００３９】
通水部材４１は、筒状をなし、その外周壁が配管１１１の内周面に沿うようにして配管１１１内に配置されている。また、通水部材４１は、その下端面外周が前記支持突起３９に載置状態とされることで、配管１１１内で支持されており、支持突起３９の上下動に伴って洗面器１００に対して相対的に上下動するように構成されている。
【００４０】
加えて、通水部材４１は、その外周壁から排水路の中心に向かって延びる複数のアーム部４６を備えており、棒状をなす前記支持軸４２の下端部がアーム部４６に固定されている。支持軸４２は、その上端部に前記栓蓋４５の背面中央が固定されており、通水部材４１の上下動により、支持軸４２ひいては栓蓋４５が上下動し、排水口１０４の開閉が行われるようになっている。
【００４１】
尚、支持軸４２は、当該支持軸４２の一端（上端）側に位置し、前記栓蓋４５の背面中央を支持する一端側支持軸４２Ａと、支持軸４２の他端（下端）側に位置し、他端部が前記通水部材４１のアーム部４６に固定された他端側支持軸４２Ｂとを備えており、支持軸４２は、その長手方向に沿った自身の略中央において分離可能に構成されている。そして、支持軸４２を分離することで、後述するヘアキャッチャー４３の筒状部４３Ａに対して支持軸４２を挿脱することができるようになっている。その結果、図４に示すように、ヘアキャッチャー４３を排水口１０４から取外すことなく、栓蓋４５を排水口１０４から取外すことができるようになっている。
【００４２】
図３に戻り、ヘアキャッチャー４３は、前記支持軸４２が挿通される筒状の筒状部４３Ａと、少なくとも外周縁が前記筒状部４３Ａと同心円状に形成されたリング部４３Ｂと、筒状部４３Ａ及びリング部４３Ｂの間に設けられ、髪の毛等を捕集するためのネット部４３Ｃとを備えている。
【００４３】
本実施形態においては、図５（図５は、図３のＪ−Ｊ線断面図である）に示すように、前記筒状部４３Ａに挿通される支持軸４２（一端側支持軸４２Ａ）の外周面が、支持軸４２の長手方向と直交する断面において、多角形状（例えば、六角形状）に形成されている。一方で、筒状部４３Ａの内周面は、当該筒状部４３Ａの長手方向と直交する断面において、円形状に形成されている。そのため、支持軸４２の外周面と筒状部４３Ａの内周面との間には、周方向に沿って複数の隙間が形成されるようになっている。
【００４４】
図３に戻り、前記排水口部材４４は、全体として筒状をなしており、また、自身の一端部（上端部）に径方向外側に膨出する鍔状の張出部４４Ａを備えている。加えて、排水口部材４４の外周面には、ねじ部４４Ｂが形成されている。排水口部材４４は、前記張出部４４Ａとねじ部４４Ｂに螺合された所定のナット４８との間で、前記垂下部１０５の下端から内周側に突出形成された鍔部１０６を挟み込むことにより、排水口１０４に取付けられている。また、排水口部材４４の下端部は、洗面器１００からのオーバーフロー水を流すためのオーバーフロー口１１４を備えた連接管１１５を介して配管１１１に接続されており、その結果、排水口１０４から配管１１１へと至る排水路が形成されている。
【００４５】
本実施形態において、前記ヘアキャッチャー４３のリング部４３Ｂは、その外周縁全周が、前記排水口１０４のうち下方に延びる垂下部１０５にほぼ接触している。また、リング部４３Ｂは、前記排水口部材４４の張出部４４Ａの上面に接触した状態で配設されている。
【００４６】
また、前記張出部４４Ａの外周には環状のパッキンとしてのＯリング４７が設けられており、排水口部材４４の張出部４４Ａと垂下部１０５との間に前記Ｏリング４７が圧入されている。これにより、Ｏリング４７は張出部４４Ａ及び垂下部１０５の双方に対して圧接された状態となっている。
【００４７】
前記栓蓋４５は、樹脂等からなる円板状の蓋部４９と、弾性変形可能な材料からなる環状のパッキン５０とを備えている。可動部材２２を回転させることにより栓蓋４５を下動させ、排水口１０４を閉じた際には、排水口１０４のうち下方に向かって縮径するテーパ部１０７に対して前記パッキン５０が圧接し、その結果、栓蓋４５と排水口１０４との間がシールされる。尚、排水口１０４においては、少なくとも前記垂下部１０５の内周面の中心軸とテーパ部１０７の内周面の中心軸とが一致するように構成されている。
【００４８】
以上詳述したように、本実施形態によれば、栓蓋４５の下方側に排水口部材４４が設けられており、栓蓋４５の閉時には、洗面器１００の表面側に排水口部材４４が顕出せず、また、栓蓋４５の開時であっても、洗面器１００の表面側から排水口部材４４が視認しにくくなる。従って、外観品質を向上させることができる。
【００４９】
また、栓蓋４５の閉時には、洗面器１００の表面側に排水口部材４４が顕出しないため、仮に洗面器１００と排水口部材４４との間に汚れが付着したとしても、水を溜める際に、当該汚れが溜められた水と触れてしまうことがない。その結果、衛生面の向上を図ることができる。
【００５０】
さらに、本実施形態において、ヘアキャッチャー４３のリング部４３Ｂは、その外周縁全周が排水口１０４の垂下部１０５に対してほぼ接触している。そのため、リング部４３Ｂと同心円状に形成された筒状部４３Ａの中心軸と垂下部１０５の中心軸とを一致させることができ、ひいては筒状部４３Ａに挿通される支持軸４２の中心軸と垂下部１０５に対して同心円状に形成されたテーパ部１０７の中心軸とを一致させることができる。
【００５１】
また、リング部４３Ｂは、排水口部材４４の張出部４４Ａの上面に接触した状態で配設されているため、排水口１０４に対してリング部４３Ｂの接触位置が上下方向にずれてしまうことをより確実に抑制することができる。これにより、支持軸４２の中心軸がテーパ部４７の中心軸に対して傾いてしまうといった事態を効果的に防止することができる。
【００５２】
以上のように、本実施形態によれば、支持軸４２の中心軸とテーパ部１０７の中心軸とを一致させつつ、支持軸４２の中心軸とテーパ部１０７の中心軸との軸ずれをより確実に防止することができる。その結果、ヘアキャッチャー４３により支持軸４２を保持し、別途の支持部材を必要としないことによる製造コストの低減を図りつつ、排水口１０４の閉時において、洗面器１００と栓蓋４５との間をより確実にシールすることができる。
【００５３】
加えて、筒状部４３Ａに対して支持軸４２が挿脱可能に構成されているため、ヘアキャッチャー４３と栓蓋４５とを分離することができる。従って、ヘアキャッチャー４３を排水口１０４に配置したままの状態で栓蓋４５を取外すことができ、ひいてはヘアキャッチャー４３を排水口１０４に配置したまま、ヘアキャッチャー４３の上面を清掃するといったことが可能となる。
【００５４】
さらに、支持軸４２の外周面は、断面多角形状に形成される一方で、筒状部４３Ａの内周面は、断面円形状に形成されており、支持軸４２の外周面と筒状部４３Ａの内周面との間には隙間が形成されている。このため、支持軸４２の外周面と筒状部４３Ａの内周面とが面接触してしまうことを極力抑制することができ、支持軸４２及び筒状部４３Ａの間に水が浸入した場合でも、筒状部４３Ａに対して支持軸４２が容易に相対移動可能となる。その結果、排水口１０４を閉じるときに、支持軸４２ひいては栓蓋４５が下動しなくなってしまうなどの不具合をより確実に防止することができる。
【００５５】
また、支持軸４２の外周面及び筒状部４３Ａの内周面の双方ともに表面が平坦状に形成されているため、支持軸４２や筒状部４３Ａに対して汚れが付着しにくくなり、また、仮に汚れが付着したとしてもその汚れを比較的容易に除去することができる。
【００５６】
併せて、排水口部材４４の張出部４４Ａの外周と垂下部１０５との間にＯリング４７が圧入されており、Ｏリング４７は張出部４４Ａ及び垂下部１０５の双方に対して圧接された状態となっている。従って、排水口部材４４を排水口１０４に取付けるためのナット４８に多少の緩みが生じた場合であっても、垂下部１０５や張出部４４Ａに対するＯリング４７の圧接力が低下してしまうことがない。その結果、排水口部材４４と洗面器１００との間で優れたシール性を実現できるとともに、その優れたシール性を長期間に亘って維持することができる。
【００５７】
尚、上記実施形態の記載内容に限定されず、例えば次のように実施してもよい。勿論、以下において例示しない他の応用例、変更例も当然可能である。
【００５８】
（ａ）上記実施形態では、槽体として洗面器１００を例示しているが、本発明の技術思想を適用可能な槽体は洗面器に限定されるものではない。従って、例えば、槽体としての浴槽や流し台等の排水口に本発明の技術思想を適用することとしてもよい。
【００５９】
（ｂ）上記実施形態における、操作部２や伝達部材３の構成は例示であって、操作部や伝達部材の構成はこれに限定されるものではない。従って、操作部として、軸方向（洗面器１００に対する出没方向）に沿って変位可能な可動部材（例えば、押しボタン式の可動部材）を有するものを用いるとともに、伝達部材として、自身の長手方向（軸方向）に沿って変位可能なもの（例えば、レリースワイヤなど）を用いることとしてもよい。
【００６０】
（ｃ）上記実施形態では、通水部材４１を介して支持軸４２を上下動させることとしているが、通水部材４１を省略し、支持突起３９を支持軸４２に接触させることとしてもよい。また、伝達部材として、その長手方向に沿って変位可能なものを用いる場合には、支持突起３９や通水部材４１を設けることなく、伝達部材の一端部を支持軸４２に接触させ、支持軸４２を上下動させることとしてもよい。
【００６１】
（ｄ）上記実施形態では、支持軸４２の外周面が断面多角形状に形成される一方で、筒状部４３Ａの内周面が断面円形状に形成されているが、支持軸４２の外周面を断面円形状に形成する一方で、筒状部４３Ａの内周面を断面多角形状に形成することとしてもよい。
【符号の説明】
【００６２】
１…排水栓装置、４２…支持軸、４３…ヘアキャッチャー、４３Ａ…筒状部、４３Ｂ…リング部、４３Ｃ…ネット部、４４…排水口部材、４４Ａ…張出部、４４Ｂ…ねじ部、４５…栓蓋、４７…Ｏリング、４８…ナット、１００…洗面器（槽体）、１０４…排水口、１０５…垂下部、１０６…鍔部、１０７…テーパ部、１１１…配管。
【図１】
0005597471.tif 000002
【図２】
0005597471.tif 000003
【図３】
0005597471.tif 000004
【図４】
0005597471.tif 000005
【図５】
0005597471.tif 000006